(57)【特許請求の範囲】
【請求項１】
金属ストリップを酸洗して、圧延するための複合型酸洗−圧延プラントであって、
−ストリップを連続的に酸洗するための酸洗ライン、
−前記酸洗ラインの下流に配置される、酸洗されたストリップを収納するための収納手段（２０、２０’）、
−前記収納手段（２０、２０’）の下流に配置されて、少なくとも２つの第１の圧延スタンド（１９）を有する可逆冷間圧延機、
−第１の圧延ステップの後に前記ストリップを巻き取るための、前記少なくとも２つの第１の圧延スタンド（１９）の下流に配置される第１のリール（２１）、
−前記第１のステップと反対方向における第２の圧延ステップの後に前記ストリップの少なくとも１つの部分を巻き取るための、前記少なくとも２つの第１の圧延スタンド（１９）の上流に配置される少なくとも１つの第２のリール（１６）であって、前記少なくとも１つの第２のリール（１６）は、コイルの予め定められた重量制限または直径制限までストリップ部分を巻き取るために寸法決めされる、少なくとも１つの第２のリール（１６）、
−前記少なくとも１つの第２のリール（１６）と前記少なくとも２つの第１の圧延スタンド（１９）との間に配置されて、前記少なくとも１つの第２のリール（１６）上に巻き取られたストリップ部分がコイルの前記予め定められた重量制限または直径制限に到達するたびに、圧延されたストリップを切断するのに適した第１の切断手段、
を備え、
前記酸洗されたストリップを収納するための前記収納手段（２０、２０’）は、５００〜３０００メートルのストリップ長の収容力を有し、
前記第１のリール（２１）は、１００〜３００トンの重量および／または最大６メートルの直径を有するコイルを巻き取るために寸法決めされ、
−溶接機（２’）が前記収納手段（２０、２０’）と前記少なくとも２つの第１の圧延スタンド（１９）との間に配置され、
前記少なくとも１つの第２のリール（１６）は、前記溶接機（２’）の下流に配置され、
前記溶接機（２’）は、前記第１の切断手段によって実行される切断から得られて、前記第２の圧延ステップを出る圧延されたストリップのヘッドを、前記収納手段（２０、２０’）から来るストリップヘッドと溶接するのに適している、
ことを特徴とする、複合型酸洗−圧延プラント。
【請求項２】
前記溶接機（２’）は、予め定められた量のストリップが第１の圧延ステップを受けた後に、前記収納手段（２０）から来るストリップを切断するように構成されて、前記圧延機を前記酸洗ラインから切り離す、請求項１に記載のプラント。
【請求項３】
前記収納手段（２０’）は、１００〜３００トンの重量および／または最大６メートルの直径を有するコイルを巻き取るために寸法決めされる少なくとも１つの第３のリール（２８）を備える、請求項１に記載のプラント。
【請求項４】
垂直軸のまわりを回転するのに適した回転プラットフォーム（２７）の反対端部に一体に２つの第３のリール（２８、２８’）が設けられ、それにより、第１の第３のリール（２８）が前記酸洗ラインから来るストリップを巻き取るためのリールとして、第２の第３のリール（２８’）が前記圧延機に供給するストリップを巻き戻すためのリールとして、交互に用いられる、請求項３に記載のプラント。
【請求項５】
前記回転プラットフォーム（２７）の上流に配置されて、１００〜３００トンの重量および／または最大６メートルの直径を有するコイルが一旦前記２つの第３のリール（２８、２８’）のうちの１つ上に巻き取られたら前記酸洗されたストリップを切断するように構成される、第２の切断手段が設けられる、請求項４に記載のプラント。
【請求項６】
前記少なくとも２つの第１の圧延スタンド（１９）の上流に配置されて、前記第１の圧延ステップにおいて開き、かつ前記第２の圧延ステップにおいて閉じるように構成される、少なくとも１つのさらなる圧延スタンド（２５）が設けられ、前記さらなる圧延スタンド（２５）は、前記２つの第１の圧延スタンド（１９）のワーキングロールの加工面粗さよりも大きい加工面粗さを有して備えられる、請求項１〜５のいずれか１項に記載のプラント。
【請求項７】
前記第１のリールに（２１）に固定された先導ストリップ（４０）が設けられ、それにより、前記第１の圧延ステップの前に、前記溶接機（２’）は、前記収納手段（２０、２０’）から来る第１のストリップヘッド（４１）に前記先導ストリップ（４０）を溶接するのにも適している、請求項１〜６のいずれか１項に記載のプラント。
【請求項８】
前記第１の切断手段は、静的切断シャー（２２）またはフライング切断シャー（２３）である、請求項１〜７のいずれか１項に記載のプラント。
【請求項９】
フライング切断シャーの場合、連続圧延の偶数のステップを実行するために二重の第２のリール（１６）または第２のリール（１６）のカルーセル（２４）が設けられる、請求項８に記載のプラント。
【請求項１０】
請求項１に記載のプラントによって金属ストリップを酸洗して、圧延するための酸洗−圧延プロセスであって、
ａ）前記酸洗ラインによってストリップを連続的に酸洗するステップ、
ｂ）５００〜３０００メートルのストリップ長の収容力を有する前記収納手段（２０、２０’）によって、前記酸洗されたストリップを収納するステップ、
ｃ）前記少なくとも２つの第１の圧延スタンド（１９）における予め定められた量のストリップの第１の圧延ステップを実行して、そして１００〜３００トンの重量および／または最大６メートルの直径を有するコイルの前記第１のリール（２１）上への連続した巻き取りを実行するステップ、
ｄ）第１のステップと反対の方向において、前記少なくとも２つの第１の圧延スタンド（１９）における前記予め定められた量のストリップの第２の圧延ステップを実行して、圧延されたストリップを定めて、コイルの予め定められた重量制限または直径制限まで、少なくとも１つの第２のリール（１６）上への圧延されたストリップの第１の部分の巻き取りを実行して、かくして第１の圧延コイルを定める、ステップ、
ｅ）前記第１の切断手段によって、前記第１の圧延コイルの形成の後に、圧延されたストリップを切断するステップ、
ｆ）コイルの予め定められた重量制限または直径制限まで、前記少なくとも１つの第２のリール（１６）上に圧延されたストリップのさらなる部分を巻き取り、さらなる圧延コイルを定めて、前記さらなる圧延コイルの各々の形成の後に、前記第１の切断手段によって圧延されたストリップの切断を実行する、ステップ、
ｇ）前記第１の切断手段によって実行される最後の切断から得られる、第２の圧延ステップから出る圧延されたストリップのヘッドを、前記溶接機（２’）によって、前記収納手段（２０、２０’）から来るストリップヘッドと溶接するステップ、
ｈ）ステップｂ）からステップｇ）を繰り返す一方で、ステップａ）を実行し続ける、ステップ、
を含む、プロセス。
【請求項１１】
ステップｃ）とステップｄ）との間に、前記圧延機を前記酸洗ラインから切り離すための、前記溶接機（２’）による酸洗されたストリップの切断が提供される、請求項１０に記載のプロセス。
【請求項１２】
前記収納手段（２０）を完全に占めるための時間と、前記少なくとも１つの第２のリール（１６）上に圧延コイルの形成を完了するための前記圧延機のサイクルタイムと等しくするように、前記酸洗ラインの速度は調整される、請求項１１に記載のプロセス。
【請求項１３】
回転プラットフォーム（２７）の反対端部に一体に２つの第３のリール（２８、２８’）を備える前記収納手段（２０’）上に、１００〜３００トンの重量および／または最大６メートルの直径を有するコイルが一旦巻き取られたら、前記回転プラットフォーム（２７）の上流にストリップの切断が提供される、請求項１０に記載のプロセス。
【請求項１４】
１００〜３００トンの重量および／または最大６メートルの直径を有する第１のコイルが前記２つの第３のリール（２８、２８’）のリール（２８’）上に巻き取られた後に、前記回転プラットフォーム（２７）は１８０°回転し、それにより、前記２つの第３のリール（２８、２８’）の他のリール（２８）は、１００〜３００トンの重量および／または最大６メートルの直径を有する第２のコイルを作るためにストリップを巻き取るためのリールとして使用され、その一方で前記リール（２８’）は、前記第１のコイルを前記圧延機を供給するために巻き戻すためのリールとして使用される、請求項１３に記載のプロセス。
【請求項１５】
第１のステップｃ）の前に、前記溶接機（２’）によって、先導ストリップ（４０）と前記圧延機に到着する酸洗されたストリップの第１のヘッド（４１）との間に溶接ジョイントを作るために第１のリール（２１）に固定された先導ストリップ（４０）が提供され、そして、ステップｇ）の前に、前記先導ストリップが前記圧延機に入ろうとするときに、前記少なくとも２つの圧延スタンド（１９）が開かれて、前記第１の切断手段により実行された最後の切断から得られる圧延されたストリップのヘッドが前記溶接機（２’）の近くにもたらされる、請求項１０〜１４のいずれか１項に記載のプロセス。
【発明の詳細な説明】
【技術分野】
【０００１】
本発明は、金属ストリップを酸洗および圧延するための複合型酸洗−圧延プラントに関する。
【背景技術】
【０００２】
冷間圧延の分野における最初の完全に連続した圧延機は、７０年代および８０年代に製造された。そして、最初の複合型酸洗−圧延プラントがそれに続いた。
【０００３】
圧延溶接ジョイントにより連続的に圧延されたストリップの利点は、ヘッドの供給ステップの間に欠陥を生成することのそして圧延される尾部が出ることのリスクを低下させることによって、表面性状の時間当たりの生産性または圧延されるキロメートルの２０％〜１００％の増加を有するプラント生産性に関して、そして、外れた厚みに起因するヘッドおよび尾部材料の損失を低減することによって、性能に関して、重要な利点を有する。
【０００４】
この種の解決策は、増加した投資コストを有し、かつ通常１年につき１，０００，０００トンを超える高い生産能力を有する、連続酸洗が４つまたは５つの圧延スタンドを有するタンデム冷間圧延機に直接接続しているプラントを提供することを必要とする。
【０００５】
この種の解決策の欠点は、そのたびに圧延される製品の長さに基づいて、プラントの「ボトルネック」に製造が制限されるということである。「ボトルネック」は、コイルの寸法および重量にしたがって、各スタンドから得られうる速度およびインストールされた力に関してタンデム圧延機によって表現可能な最大速度に関するプラント入力、酸洗プロセス、蓄積および圧延機でありうる。
【０００６】
ますます薄い厚みの要請と複合されて、特により高い耐性鋼の材料の開発は、酸洗ラインに連結される新たな連続圧延機の開発に至った。例えば、酸洗ラインの巻き戻しリールが圧延機の巻取り機の近くにあるように、２つのプラントの曲がった配置が作られた。これにより、還元は完了することができ、そして、圧延コイルは、圧延機上の増加した還元数を達成するように酸洗ラインの入力で供給されることができる。求められる厚みでコイルを終えるためにいくつかのパスを設ける必要があるので、この構成は、生産能力の著しい削減と関連した欠点を有する。
【０００７】
特定の製造業者によって適用される変形例は、特定の場合に重量が６０トンを上回り直径が３メートルに近いいわゆる「ジャンボコイル」を圧延するものであった。不連続なタンデム圧延機に用いられるこのシステムは、連続圧延機によって得られうる値の方へ生産性を漸近的にもたらして、その性能および表面性状を部分的に改良する。この解決策の利点は、圧延プラントのための減少した投資コストである。しかし、それは、コイルを扱う構造（例えば、これらの増加した負荷を連続的にサポートするためにプラントの上流および下流に寸法決めされなければならない道路および対応する天井クレーン）のための重要なコストを必要とする。
【０００８】
タンデム冷間圧延機の代わりは、通常、より小さい生産能力を正確に実施するリバース圧延機である：
−１年につき１００，０００〜４００，０００トンの単一スタンド式リバース圧延機のための；
−１年につき２００，０００〜１，０００，０００トンの二重スタンド式リバース圧延機のための。
【０００９】
その性質に起因して、圧延ヘッドおよび尾部が圧延されないかまたは部分的に圧延されるので、リバース圧延機上の圧延は、いくつかのスタンドを有するタンデム圧延機に関して材料のより悪い性能を含む。さらに、リバース圧延機では、タンデム圧延機において得られるように出て行くストリップの表面仕上げを制御する可能性は、除外される。これは、粗さをストリップ表面に移す目的で、ラスト・パスを実行する前に圧延スタンドを置き換えることが推奨されず、そして、表面汚れを減少するために異なるエマルジョン系を使用することが非常に複雑かつ高コストであるからである。
【００１０】
リバース圧延機の性能を高めるために、例えば、さまざまな手順および革新が試みられた：
−スタンド近くでのヘッドの供給および尾部の排出を得るための開発機器および対応する自動化；
−生産される材料上へのスタンドの供給および閉鎖をできるだけ早くするために、先導ストリップへの（すなわち圧延されないストリップの伸展部への）コイルのヘッドを溶接するためのスポット溶接機の実施。
【００１１】
その適用が圧延機運転条件の明らかな硬直化および圧延ローラに損害を与える可能性がある危険を含むので、これらの技術は部分的な結果を与えた。
【００１２】
リバース圧延機を有する金属ストリップのための複合型酸洗−圧延プラントの実施例は、特許文献１において開示される。
【００１３】
したがって、上述した欠点を解決することができる複合型酸洗−圧延プラントおよび対応するプロセスを提供することは必要である。
【先行技術文献】
【特許文献】
【００１４】
【特許文献１】米国特許出願公開第２０１２／０２７２７０３Ａ１号
【発明の概要】
【発明が解決しようとする課題】
【００１５】
本発明の主たる目的は、連続酸洗に連結された４または５スタンド・タンデム圧延機のそれらと比較可能な材料の質、生産性および性能を得ることができ、しかし低い投資コストを有する、複合型酸洗−可逆冷間圧延プラントを提供することである。
【００１６】
本発明の別の目的は、１５〜２１ｋｇ／ｍｍの比重量のストリップのコイルを得ることができ、したがって通常のコイル取扱い構造との互換性を有するプラントを提供することである。
【００１７】
本発明の別の目的は、自動車および家電機器産業のためのプレートによって必要とされる、表面仕上げが制御されうるように、可逆圧延プロセスが設けられるプラントを提供することである。
【課題を解決するための手段】
【００１８】
したがって、本発明は、請求項１による金属ストリップを酸洗して、冷間圧延するための複合型プラントであって、
−ストリップを連続的に酸洗するための酸洗ライン、
−酸洗ラインの下流に配置される、酸洗されたストリップを収納するための収納手段、
−前記収納手段の下流に配置されて、少なくとも２つの第１の圧延スタンドを有する可逆冷間圧延機、
−第１の圧延ステップの後にストリップを巻き取るための、前記少なくとも２つの第１の圧延スタンドの下流に配置される第１のリール、
−第１のステップと反対方向における第２の圧延ステップの後にストリップの少なくとも１つの部分を巻き取るための、前記少なくとも２つの第１の圧延スタンドの上流に配置される少なくとも１つの第２のリールであって、前記少なくとも１つの第２のリールは、コイルの予め定められた重量制限または直径制限までストリップ部分を巻き取るために寸法決めされる、少なくとも１つの第２のリール、
−前記少なくとも１つの第２のリールと前記少なくとも２つの第１の圧延スタンドとの間に配置されて、少なくとも１つの第２のリール上に巻き取られたストリップ部分がコイルの前記予め定められた重量制限または直径制限に到達するたびに、圧延されたストリップを切断するのに適した第１の切断手段、を備え、
酸洗されたストリップを収納するための前記収納手段は、５００〜３０００メートルのストリップ長の収容力を有し、
前記第１のリールは、１００〜３００トンの重量および／または最大６メートルの直径を有するコイルを巻き取るために寸法決めされ、
−溶接機が前記収納手段と前記少なくとも２つの第１の圧延スタンドとの間に配置され、
前記少なくとも１つの第２のリールは、前記溶接機の下流に配置され、
前記溶接機は、第１の切断手段によって実行される切断から得られて、第２の圧延ステップを出る圧延されたストリップのヘッドを、前記収納手段から来るストリップヘッドと溶接するのに適している、ことを特徴とする、複合型プラントを提供することによって、上記目的を達成することを示唆する。
【００１９】
本発明の第２の態様は、上述したプラントによって実行される、請求項１０による金属ストリップを酸洗して、冷間圧延するための酸洗−冷間圧延プロセスであって、
ａ）酸洗ラインによってストリップを連続的に酸洗するステップ、
ｂ）５００〜３０００メートルのストリップ長の収容力を有する収納手段によって、酸洗されたストリップを収納するステップ、
ｃ）少なくとも２つの第１の圧延スタンドにおける予め定められた量のストリップの第１の圧延ステップを実行して、そして１００〜３００トンの重量および／または最大６メートルの直径を有するコイルの第１のリール上への連続した巻き取りを実行するステップ、
ｄ）第１のステップと反対の方向において、少なくとも２つの第１の圧延スタンドにおける前記予め定められた量のストリップの第２の圧延ステップを実行して、圧延されたストリップを定めて、コイルの予め定められた重量制限または直径制限まで、少なくとも１つの第２のリール上への圧延されたストリップの第１の部分の巻き取りを実行して、かくして第１の圧延コイルを定める、ステップ、
ｅ）第１の切断手段によって、前記第１の圧延コイルの形成の後に、圧延されたストリップを切断するステップ、
ｆ）コイルの予め定められた重量制限または直径制限まで、前記少なくとも１つの第２のリール上に圧延されたストリップのさらなる部分を巻き取り、さらなる圧延コイルを定めて、前記さらなる圧延コイルの各々の形成の後に、第１の切断手段によって圧延されたストリップの切断を実行する、ステップ、
ｇ）前記第１の切断手段によって実行される最後の切断から得られる、第２の圧延ステップから出る圧延されたストリップのヘッドを、溶接機によって、収納手段から来るストリップヘッドと溶接するステップ、
ｈ）ステップｂ）からステップｇ）を繰り返す一方で、ステップａ）を実行し続ける、ステップ、を含む、プロセスを提供する。
【００２０】
本発明は、第１の圧延ステップすなわち奇数の圧延ステップで、メガコイルを連続的に巻き取り、かくして２つまたは３つの厚み減少を得る。
【００２１】
メガコイルは、例えば、より小さいストリップの少なくとも４〜１５回の溶接から得られる１００〜３００トンの重量および４〜６ｍの直径を有するコイルである。
【００２２】
本発明の第１の異型において、圧延機の下流の第１の巻き取りリールが予め定められた最大重量または最大直径に到達するときに、圧延機に入るストリップは切断されて、かくして圧延機を酸洗ラインから切り離す。好ましくは、上述したメガコイルは、第１の圧延ステップの後に第１のリール上に巻き取られる。
【００２３】
酸洗ラインは、収容力の増加した出口収納手段（サイズまたは重量がメガコイルのサイズまたは重量の約１／４に等しい従来のコイル約２〜３個と等価の５００〜３０００ｍのストリップ長、好ましくは少なくとも２０００ｍ）にそれを収納しながら、ストリップを処理し続ける。本発明のこの第１の異型において、この種の収容力の増加した収納手段は、一端で、少なくとも３つのアイドラローラを含む少なくとも１つの可動台を備え、反対端で、酸洗された連続ストリップの蛇行通路を定めるように固定されたアイドラローラを備える、水平収納装置から成る。移動することによって、可動台は、収納されるストリップを増加させることができる。酸洗されたストリップは、適切な支持ローラによって支持され、そして、可動台の反対端に位置するダイバータ・ローラによってそれる。
【００２４】
一方、圧延方向を逆転することによって、圧延機は、２つまたは３つの厚み減少を有する第２の圧延パスを実行する。圧延機の上流の第２の巻き取りリールが予め定められた重量制限または直径制限に到達するときに、ストリップは切断され、そして、第１のコイルは下ろされる。この動作は続けられ、かくして、例えば、１５〜２１ｋｇ／ｍｍ（ストリップ幅のｍｍ当たりのｋｇ）の比重量を有する４つまたは５つのコイルを作り出す。重量制限および直径制限をセットすることによって、第２のリール上の最終的なコイルの寸法および／または重量は、自動レベルで固定される。第２のリール上のコイルによって到達すべき２つの制限のうちの最初のものは、第１の切断手段による切断を起動させる。
【００２５】
最終的なコイルを準備するこの活動の終端で、プロセスは、先に切断されたストリップヘッドとともに再び開始し、そして、新たな圧延ステップすなわち奇数のステップが始まる。
【００２６】
圧延機の入力部で溶接機を挿入し、そして、上述したヘッドによって溶接されるのに利用可能な先の圧延からの尾部を残すことによって、連続圧延の状態は、第１の（奇数の）パスにおいて確立される。
【００２７】
第２の（偶数の）パスのために、フライイングシャーと協働する圧延機の上流で二重巻き取りリールまたはリールのカルーセルをインストールすることによって、連続圧延は、第２のステップの間も達成される。
【００２８】
第２のステップの終端で、酸洗ラインおよびリバース圧延機は再び連結され、そして、連続圧延は第１のステップから再開される。
【００２９】
酸洗ラインと圧延機との間に前記収容力の増加した収納手段を提供することによって、そして、第２の圧延パスの前に２つのプラントを切り離すことによって、従来の結合されたプラントの生産性を制限する特定の「ボトルネック」が除去されて、かくして増加した生産性が得られうるという事実に、本発明のさらなる利点はある。
【００３０】
本発明の第２の異型において、収容力の増加した収納手段は、酸洗ラインとリバース圧延機との間に、１００〜３００トンの重量および最大６メートルの直径を有するコイル（メガコイル）を巻き取るために寸法決めされる少なくとも１つの第３のリールを備える。都合のよいことに、２つの第３のリールのうちの１つ上にメガコイルを巻き取るための予め定められた時間の後に垂直軸のまわりを１８０°回転するのに適した回転プラットフォームの反対端部に一体に２つの第３のリールを設けることができ、それにより、第１の第３のリールが酸洗ラインから来るストリップを巻き取るための巻き取りリールとして、第２の第３のリールが圧延機に供給するストリップを巻き戻すための巻き戻しリールとして、交互に用いられる。この異型において、酸洗ラインと第１の圧延スタンドとの間に配置される溶接機は、前溶接および溶接作業を実行するだけであり、圧延機を酸洗ラインから切り離すためにストリップを切断しない。この場合の切り離しは、回転プラットフォームの上流の第２の切断手段によって、そして回転プラットフォームによって達成される。従属クレームは、本発明の好ましい実施形態を記載する。
【００３１】
本発明のさらなる特徴および利点は、添付図面を用いた非限定的な実施例として開示される、複合型酸洗−圧延プラントの好ましいが排他的でない実施形態の詳細な説明からより明らかになる。
【図面の簡単な説明】
【００３２】
【図１】図１は、本発明によるプラントの第１実施形態の概略図を表す。
【図２】図２は、第１の（奇数の）ステップのための圧延シーケンスの実施例を表す。
【図３】図３は、静的切断シャーを有する第２の（偶数の）ステップのための圧延シーケンスの実施例を表す。
【図４】図４は、フライイングシャーを有する第２の（偶数の）ステップのための圧延シーケンスの実施例を表す。
【図５】図５は、本発明のプラントの圧延機の異型を表す。
【図６ａ】図６ａは、圧延機の上流にインストールされる溶接機を使用する実施例を表す。
【図６ｂ】図６ｂは、圧延機の上流にインストールされる溶接機を使用する実施例を表す。
【図６ｃ】図６ｃは、圧延機の上流にインストールされる溶接機を使用する実施例を表す。
【図６ｄ】図６ｄは、圧延機の上流にインストールされる溶接機を使用する実施例を表す。
【図７】図７は、本発明によるプラントの第２実施形態の概略図を表す。
【図８】図８は、酸洗ラインを出て、圧延機に入る二重巻き取りおよび巻き戻しストリップ・システムの概略図を表す。
【図９】図９は、上述した二重巻き取りおよび巻き戻しシステムの動作シーケンスを表す。
【発明を実施するための形態】
【００３３】
図の同じ番号は、同じ要素またはコンポーネントを識別する。
【００３４】
図１〜図９に関して、複合型連続酸洗−可逆冷間圧延プラントの好ましい実施形態が表される。
【００３５】
プラント（本発明の客体）は、そのすべての実施形態において、以下を備える。
−ストリップを連続的に酸洗するための酸洗ライン、
−酸洗ラインの下流に配置されて、５００〜３０００メートルのストリップ長の収容力を有する酸洗されたストリップを収納するための収容力の増加した収納手段２０、２０’、
−前記収納手段２０、２０’の下流に配置されて、少なくとも２つの第１の圧延スタンド１９を有する可逆冷間圧延機、
−第１の圧延スタンド１９の下流に配置された、第１の圧延ステップ（すなわち奇数の圧延ステップ）の後にストリップを巻き取るための、そして１００〜３００トンの重量および最大６メートルの直径を有するコイルを巻き取るのに都合よく寸法決めされる、リール２１、
−収納手段２０、２０’と第１の圧延スタンド１９との間に配置される溶接機２’、
−第１の圧延スタンド１９の上流でかつ溶接機２’の下流に配置された、第１のステップと反対の方向において第２の圧延ステップ（すなわち偶数の圧延ステップ）の後にストリップの少なくとも一部を巻き取るための、少なくとも１つのリール１６であって、前記少なくとも１つのリール１６は、コイルの予め定められた重量制限または直径制限（例えば１５〜２１ｋｇ／ｍｍの比重量（ｓｐｅｃｉｆｉｃ  ｗｅｉｇｈｔ）または約２０００〜２１００ｍｍの直径）までストリップ部分を巻き取るのに都合よく寸法決めされる、少なくとも１つのリール１６、
−前記少なくとも１つの第２のリール１６と第１の圧延スタンド１９との間に配置された、そして、リール１６上に巻き取られるストリップ部分がコイルの前記予め定められた重量制限または直径制限に到達するたびに、圧延されたストリップを切断するのに適した、第１の切断手段（例えばシャー２２、２３）。
【００３６】
都合よく、溶接機２’は、第１の切断手段によって実行される切断から得られる第２の圧延ステップを出る圧延されたストリップのヘッドを、収納手段２０、２０’から来るストリップヘッドと溶接するのに適している。
【００３７】
リール２１は、増加した収容力を有し、そして、厚みの増加した管によって、または、最大３００トンの重量のまたは最大６メートルの直径を有する大きいサイズのコイルの重量を支持することができる金属丸棒によって作られる。圧延機で増加した厚み減少を容易にするために、この種のリール２１はまた、圧延の間、３５０〜５００ｋＮ（好ましくは４００ｋＮ）の引っ張り動作を適用するために寸法決めされる。
【００３８】
この発明の第１実施形態では、溶接機２’は、ストリップの所定量が第１の圧延ステップを受けた後、収納手段２０から来るストリップを切断するように、かくして酸洗ラインから圧延機を切り離すように構成される。図１および図６ｄに関して、酸洗ラインは、以下を順番に備える。
−少なくとも２つの巻き戻しリール１および、前記リール１によって巻き戻されるストリップ間にロール可能なジョイントを作ることができ、かくして連続ストリップを定める溶接機２（好ましくはレーザー溶接機）を有する入力部、
−前記連続ストリップを収納するための、そして酸洗プロセスの連続操業を確実にする入力収納手段３、
−適切な直径のローラの周りに引っ張りおよび曲げを交替させる組合せ作用を通して、連続ストリップを酸化物でカバーした層の押しつぶしが得られ、かくして連続エッチングを促進する、スケールまたは酸化物ブレーカ４、
−連続ストリップ上の上述したエッチングが起こる（必要とされる生産性にしたがう例えば２から４までの）酸洗タンク５であって、前記タンク５は、酸性の酸洗液を再循環させ、そして加熱するための補助システムを備える、酸洗タンク５。
【００３９】
全酸洗ラインに沿って、ストリップガイドシステム、引っ張り制御システム、およびさまざまな補助システムが設けられる。
【００４０】
任意には、酸洗タンク５の下流に、それらは設けられることができる：
−すすがれて乾燥した後に、酸洗タンク５を出る酸洗された連続ストリップが収納される中間収納手段６、
−酸洗された連続ストリップの端部をトリミングするためのマシン７であって、前記中間収納手段６は、ストリップ幅またはブレードを変えるためにトリミングマシン７が止められる場合に、酸洗プロセスの停止を回避する機能の役に立つ、マシン７。
【００４１】
都合のよいことに、本発明のこの第１実施形態のプラントは、酸洗タンク５のまたはトリミングマシン７の直接下流に、酸洗ラインの出口で収納手段として作用する収容力の増加した収納手段２０を提供する。そしてそれは、５００〜３０００メートルの酸洗された連続ストリップ（好ましくは少なくとも２０００メートル）を受容するサイズである。
【００４２】
前記収容力の増加した収納手段２０は、一端に、少なくとも３つのアイドラローラを含む少なくとも可動台を備え、他端に、酸洗された連続ストリップの蛇行通路を定めるように固定アイドラローラを備える、水平収納装置から成る。移動することによって、可動台は、収納されるストリップを増加させることができる。前記収容力の増加した収納手段２０の下流に、それらは順番に設けられる：
−２５０〜５００ｋＮ（好ましくは４００ｋＮ）の引っ張り作用を得るために寸法決めされる、酸洗された連続ストリップの引っ張りおよびセンタリングを制御するための器材９、
−前記溶接機２’（好ましくはレーザー溶接機）、
−１５〜２１ｋｇ／ｍｍの比重量を有するストリップ部分または最大２０００〜２１００ｍｍの直径を有するコイルを巻き取るように都合よく構成される前記少なくとも１つのリール１６、
−切断シャー２２、２３、
−４段または６段タイプの前記少なくとも２つの可逆的な第１の圧延スタンド１９、
−１００〜３００トンの重量および最大６メートルの直径を有するコイルを巻き取るように都合よく構成されるリール２１。
【００４３】
有利な異型では、２つの第１の圧延スタンド１９だけがある。これにより、２つの圧延ステップは、全体で４つの厚み減少によって実行される。
【００４４】
圧延機に沿って、ストリップを冷却して、注油するための補助システム、および圧延工程をモニタするためのさらなる補助システムが設けられる。
【００４５】
本発明のこの第１実施形態（図１から図６ｄ）の動作を以下に説明する。
【００４６】
入力部の巻き戻しリール１は、溶接機２によって互いに溶接されるそれぞれのストリップを巻き戻し、かくして連続ストリップを定める。酸洗プロセスの連続操業を確実にするために、連続ストリップは、入力収納手段３に収納される。酸化物の層によってまだカバーされた連続ストリップは、スケールブレーカ４を横切って収納手段３から出る。そこでは、適切な直径のローラの周りに引っ張りおよび曲げを交替させる組合せ作用を通して、酸化物の層の押しつぶしが得られ、かくして酸洗タンク５の連続したエッチングを促進する。次いで、連続ストリップは、酸洗タンク５を通過して、その後すすがれて、乾燥される。
【００４７】
提供されるときに、酸洗された連続ストリップは、中間収納手段６に入り、次いで、トリミングマシン７端部を横切る。
【００４８】
次いで、酸洗された連続ストリップは、収容力の増加した収納手段２０に入り、かくして酸洗された連続ストリップのアイドラローラを有する蛇行通路（例えば図１において概略的に示される）に収納される。
【００４９】
次いで、酸洗された連続ストリップは、圧延機に対する入力システムを定める、引っ張り作用およびセンタリングを制御するための器材９を通過して、溶接機２’を横切る。
【００５０】
約３０メートル長の先導ストリップ４０が巻き取りリール２１上に設けられる場合、前記先導ストリップ４０と酸洗された連続ストリップのヘッド４１（図６ａ）との間に、溶接機２’によってジョイント２６を提供することが都合よく可能であり、かくして巻き取りリール２１（図６ａ〜図６ｄ）に起因して引っ張られるストリップによって可逆的な２スタンド圧延機１９を通してこのジョイント２６を供給する可能性を得る。ストリップのヘッド４１は、溶接機２’を用いて精度よい切断を実行することによって、溶接のために準備される。溶接を実行する前に、先導ストリップ４０の端部も、溶接機２’を用いて精度よい切断を実行することによって準備される。
【００５１】
第１の（奇数の）圧延ステップの間、第１のスタンド１９は、リール２１上にいわゆるメガコイル（すなわち１００〜３００トンの重量および最大６メートルの直径を有するコイル）を実現するまで、上述した連続ストリップに属する、互いに溶接された例えば少なくとも４つのストリップ（１つが先導ストリップを有することも考慮して、４つの溶接ジョイントを有する）を連続的に巻き取る。この点で、溶接機２’は、第４のストリップを上述した連続ストリップの第５のストリップとつなぐジョイントを切断する。３００トンの重量制限または６メートルのコイルの直径制限に到達するとすぐに、特定のセンサは、溶接機２’に指令信号を送る。そしてそれは、上述した切断を実行する。
【００５２】
上述したメガコイルを作るために必要な溶接された開始ストリップの数は、開始ストリップの長さに基づいて変化することができる。
【００５３】
この第１の圧延ステップの間、収容力の増加した収納手段２０（圧延の初めにそれはほとんど最大収納容量であった）は、圧延機と酸洗ラインとの間の速度の違いに起因して、空である。
【００５４】
酸洗された連続ストリップの（溶接機２’によって切断される）尾部は、リール２１上に巻き取られたストリップの可逆的な第２の（偶数の）圧延ステップを開始するために、巻き取りリール１６（図３ａ）上に供給される。
【００５５】
リール１６が１５〜２１ｋｇ／ｍｍの比重量を有するかまたは２０００〜２１００ｍｍの直径を有する第１の圧延コイルを巻き取るときに、圧延機は、リール１６上に巻かれているストリップを切断する静的切断シャー２２に指令信号を送る特定のセンサを停止させ、そして、第１の圧延コイルはリール１６から下ろされる。第１のスタンド１９から出る、この静的切断から得られるストリップヘッドは、リール１６上に供給される。そして、１５〜２１ｋｇ／ｍｍの比重量を有するかまたは２０００〜２１００ｍｍの直径を有するリール１６上の第２の圧延コイルを得るまで、第２の圧延ステップは再開される。圧延機は再び停止し、静的切断シャー２２はリール１６上に巻かれているストリップを切断し、そして、第２の圧延コイルはリール１６から下ろされる。リール２１に固定された先導ストリップが第１の圧延スタンド１９に入ろうとするときに、これらの動作は、最後の圧延コイル（例えば第４のコイル）の第２の圧延ステップまで繰り返される。圧延が停止し、第１のスタンド１９が開かれ、静的切断シャー２２が再びストリップを切断し、そして１５〜２１ｋｇ／ｍｍの比重量を有するかまたは２０００〜２１００ｍｍの直径を有する前記最後の圧延コイルはリール１６から下ろされる。その一方で、先導ストリップのヘッドは、溶接機２’により先に切断された酸洗された連続ストリップのヘッドにより圧延されることができる溶接ジョイントを作るために溶接機２’に到達する。一旦この溶接が完了すると、サイクルは、第１の（奇数の）圧延ステップおよびリール２１上の新たなメガコイルの形成を再開する。圧延機の入力部で溶接機２’を挿入することによって、および、溶接機２’により先に切断された酸洗された連続ストリップのヘッドにより溶接されるために利用可能な先の圧延からのストリップ尾部を残すことによって、連続圧延の状態は、奇数の第１の圧延ステップにおいて確立される。
【００５６】
圧延ステップの間、収容力の増加した収納手段２０は、酸洗ラインから出る酸洗された連続ストリップによって満たされる。都合のよいことに、酸洗ラインの速度は、リール１６上の上述した圧延コイルの形成を完了するために、圧延機のサイクルタイムで収納手段２０を完全に満たす時間を実質的に等しくするように調整される。
【００５７】
第２の（または偶数の）圧延ステップにおいても連続圧延の状態を得るために、異型は、静的切断シャー２２の代わりにフライング切断シャー２３を、そして単一リール１６の代わりに二重リールまたはリール１６のカルーセル２４を使用することを提供する（図４）。フライング切断シャー２３は、５０〜５００ｍｐｍの速度で圧延されたストリップを切断するのに適している。カルーセル２４は、２つのリール１６を一般に備える。そしてそれは、互いに正反対に位置して、圧延されたストリップを交互に巻き取る回転ドラム上にヒンジされる。一方のリールが最後のコイルを巻き取るときに、他方のリールは最後のコイルを先に巻き終わって開放される。
【００５８】
図７〜図９に示される本発明の第２実施形態では、収容力の増加した収納手段２０’は、代わりに、１００〜３００トンの重量で最大６メートルの直径を有するコイル（メガコイル）を巻き取るために寸法決めされるさらに増加した収容力リール２８を少なくとも備える。都合のよいことに、２つのリール２８、２８’のうちの１つ上にメガコイルが巻き取られる予め定められた時間の後に、垂直軸の周りに１８０°回転するのに適している、回転プラットフォーム２７の両端または両側に一体化される２つのさらに増加した収容力リール２８、２８’が設けられる。それにより、交互に、第１のリール２８は、酸洗ラインから来ている酸洗された連続ストリップを巻き取るためのリールとして使用され、そして第２のリール２８’は、圧延機に供給する酸洗された連続ストリップを巻き戻すためのリールとして使用される。回転プラットフォーム２７の上流に配置されて、２つのリール２８、２８’のうちの１つ上に一旦メガコイルが巻かれたら酸洗されたストリップを切断するように構成される、第２の切断手段（例えばさらなるシャー（例示されない））が設けられる。この場合も、一旦コイルの３００トンの重量制限または６メートルの直径制限に達したら、特定のセンサは第２の切断手段に指令信号を送る。この切断の後、回転プラットフォーム２７は、１８０°回転する。
【００５９】
酸洗された連続ストリップのアイドラローラ８’を有する蛇行通路８（図７）は、前記第２の切断手段の上流に設けられることができる。そしてその目的は、増加した収容力巻き取りリール２８が止まるたびに、酸洗ラインによって処理されるストリップを収納する１つである。図１のプラントの同じコンポーネント（すなわち数字１、２、３、４、５、６および７によって示されるすべてのコンポーネント）は、前記コイルパス８の上流に設けられる。
【００６０】
ストリップを巻き取り／巻き戻すための二重システムを定義する回転プラットフォーム２７は、例えば、ラックシステムによって作動されることができる。その回転は、１８０°の回転が達成されることのできる電気または油圧モーター３２によって制御される。前記回転プラットフォーム２７の両側上に、１００〜３００トンの重量でかつ約６メートルの直径を有するメガコイルを巻き取り／巻き戻すために適合されるそれぞれの増加した収容力リール２８、２８’が取り付けられる。
【００６１】
酸洗ラインから来ているストリップの巻き取り回転および可逆冷間圧延機の第１の圧延スタンド１９の方への酸洗されたストリップの巻き戻し回転を独立して制御するように、それぞれのリール２８、２８’の回転コマンド３１、３０および３１’、３０’は、互いに独立している。
【００６２】
回転プラットフォーム２７の１８０°回転の間、回転コマンド３１、３０および３１’、３０’は、引き込まれるそれぞれの可動ジョイント２９、２９’によってそれぞれのリール２８、２８’から外される。
【００６３】
リール２８、２８’上に巻き取られてそして巻き戻されるストリップは、対応する油圧シリンダ３３、３３’により制御されるそれぞれのマンドレル３４、３４’の軸方向移動によって、整列配置されかつ中央に置かれるように保たれる。
【００６４】
リール２８、２８’の、したがって回転プラットフォーム２７の下流には、以下が順番に設けられる（図７）：
−溶接機２’、好ましくはレーザー溶接機、
−１５〜２１ｋｇ／ｍｍの比重量を有するストリップ部分または最大２０００〜２１００ｍｍの直径を有するコイルを巻き取るように都合よく構成される、少なくとも１つのリール１６、
−切断シャー２２、
−４段または６段タイプの前記少なくとも２つの可逆的な第１の圧延スタンド１９、
−１００〜３００トンの重量の、そして最大６メートルの直径を有するコイルを巻き取るように都合よく構成される、増加した収容力リール２１。
【００６５】
有利な異型では、２つの第１の圧延スタンド１９だけがある。これにより、２つの圧延ステップは、全体で４つの厚み減少によって実行される。
【００６６】
冷却してストリップに油をさすための補助システム、および圧延工程をモニタするためのさらなる補助システムは、圧延機に沿って設けられる。
【００６７】
ここで、本発明のこの第２実施形態の動作（図７〜図９）を説明する。
【００６８】
入力部の巻き戻しリール１は、溶接機２によって互いに溶接されるそれぞれのストリップを巻き戻し、かくして連続ストリップを定める。酸洗プロセスの連続操業を確実にするために、連続ストリップは、入力収納手段３に収納される。酸化物の層によってまだカバーされた連続ストリップは、スケールブレーカ４を横切って収納手段３から出る。そこでは、適切な直径のローラの周りに引っ張りおよび曲げを交替させる組合せ作用を通して、酸化物の層の押しつぶしが得られ、かくして酸洗タンク５の連続したエッチングを促進する。次いで、連続ストリップは、酸洗タンク５を通過して、その後すすがれて、乾燥される。
【００６９】
提供されるときに、酸洗された連続ストリップは、中間収納手段６に入り、次いで、トリミングマシン７端部を横切る。
【００７０】
次いで、酸洗された連続ストリップは、例えば、回転プラットフォーム２７（図８）の増加した収容力リール２８’上に巻き取ることによって、収容力の増加した収納手段２０’に入る。
【００７１】
図９は、回転プラットフォーム２７の速度での動作シーケンスを概略的に表す。第１のステップ（図９ａ）において、第１のリール２８は、酸洗されたストリップのメガコイルの巻き取りを開始する。一方、第２のリール２８’は、第１の圧延ステップを開始するように第１の圧延スタンド１９に向けて、先に巻き取られた別のメガコイルの巻き戻しを開始する。
【００７２】
第２のステップ（図９ｂ）において、リバース圧延機が第２の圧延ステップを実行して、第２のリール２８’が空である一方で、第１のリール２８は、酸洗されたストリップのメガコイルの巻き取りを完了して、巻き取りは中断され、酸洗されたストリップは、第２の切断手段によって回転プラットフォーム２７の上流で切断される。そして、回転プラットフォーム２７は、酸洗されたストリップを巻き戻すための位置へと前記第１のリール２８を第１の圧延スタンド１９の方へもたらすために回転し始める。
【００７３】
第３のステップ（図９ｃ）において、巻き戻し位置の第１のリール２８によって、ストリップは、第１のリール２８から巻き戻されて、溶接機２’の近くの供給または溶接位置にもたらされる。その一方で、第２のリール２８’は、酸洗されたストリップの新たなメガコイルの巻き取りを開始する。
【００７４】
リール２８またはリール２８’上の新たなメガコイルから巻き戻されるストリップのヘッドは、連続した溶接のための準備がされるように、溶接機２’により正確な切断を実行することによって準備される。
【００７５】
巻き取りリール２１上に約３０メートル長の先導ストリップを残したとしても、先導ストリップと第１のリール２８から来ている酸洗されたストリップのヘッドとの間にジョイントを作ることは、溶接機２’によって都合よく可能であり、かくして、巻き取りリール２１を出ることに起因して教示されるストリップによって２つの第１のスタンド１９を有するリバース圧延機を通してこのジョイントを供給する可能性を得る。
【００７６】
溶接を実行する前に、先導ストリップの端部も、溶接機２’を用いて精度よい切断を実行することによって準備される。
【００７７】
第１の（奇数の）圧延ステップの間、第１のスタンド１９は、増加した収容力リール２１上に再びいわゆるメガコイルを得るまで第１のリール２８から巻き戻されるストリップを連続的に巻き取る。
【００７８】
この第１の圧延ステップの間、増加した収容力巻き戻しリール２８上のメガコイルは、完全に巻き戻される。同時に、酸洗されたストリップの巻き取り位置における他のリール２８’は、新たなメガコイルを巻き取る。
【００７９】
リール２１上に巻き取られて、巻き戻された酸洗された連続ストリップの尾部は、巻き取りリール１６上に供給され、かくして第２の可逆的な（偶数の）圧延ステップ（図７）を開始する。
【００８０】
リール１６が１５〜２１ｋｇ／ｍｍの比重量を有するかまたは２０００〜２１００ｍｍの直径を有する第１の圧延コイルを巻き取るときに、圧延機は、リール１６上に巻かれているストリップを切断する静的切断シャー２２に指令信号を送る特定のセンサを停止させ、そして、第１の圧延コイルはリール１６から下ろされる。第１の圧延スタンド１９から出る、得られるストリップヘッドは、リール１６上に供給される。そして、１５〜２１ｋｇ／ｍｍの比重量を有するかまたは２０００〜２１００ｍｍの直径を有するリール１６上の第２の圧延コイルを得るまで、第２の圧延ステップは再開される。圧延機は再び停止し、静的切断シャー２２はリール１６上に巻かれているストリップを切断し、そして、第２の圧延コイルはリール１６から下ろされる。先導ストリップが第１の圧延スタンド１９に入ろうとするときに、これらの動作は、最後の圧延コイル（例えば第４のコイル）の第２の圧延ステップまで繰り返される。圧延が停止し、第１のスタンド１９が開かれ、静的切断シャー２２が再びストリップを切断し、そして１５〜２１ｋｇ／ｍｍの比重量を有するかまたは２０００〜２１００ｍｍの直径を有する前記最後の圧延コイルはリール１６から下ろされる。
【００８１】
その間に、増加した収容力巻き取りリール２８’にメガコイルの巻き取りが完了するとすぐに、巻き取りは中断されて、酸洗されたストリップは第２の切断手段によって回転プラットフォーム２７の上流で切断され、そして回転プラットフォーム２７は１８０°回転する。かくしてリール２８’を巻き戻し位置へとリバース圧延機の方へもたらし、そしてリール２８を酸洗ラインから来ているストリップの巻き取り位置へともたらす。
【００８２】
リール２８’上の新たなメガコイルから巻き戻されるストリップのヘッドは、溶接機２’と到達するまで周知の仕方で供給され、そして、連続した溶接のための準備がされるように、溶接機２’により正確な切断を実行することによって準備される。溶接を実行する前に、先導ストリップの端部も、同じ溶接機２’を用いて精度よい切断を実行することによって準備される。
【００８３】
先導ストリップと新たなメガコイルのストリップのヘッドとの間のこの溶接が一旦完了すると、サイクルは、第１の（奇数の）圧延ステップおよびリール２１上のメガコイルの連続した形成を再開する。圧延機の入力部で溶接機２’を挿入することによって、および、連続した酸洗された連続ストリップのヘッドにより溶接されるために利用可能な先の圧延からのストリップ尾部を残すことによって、連続圧延の状態は、第１の、すなわち奇数の、圧延ステップにおいて確立される。
【００８４】
第２の（または偶数の）圧延ステップにおいても連続圧延の状態を得るために、異型は、静的切断シャー２２の代わりにフライング切断シャー２３を、そして単一リール１６の代わりに二重リールまたはリールのカルーセル２４を使用することを提供する（図４のそれに類似の仕方で）。フライング切断シャー２３は、５０〜５００ｍｐｍの速度で圧延されたストリップを切断するのに適している。カルーセル２４は、２つのリール１６を一般に備える。そしてそれは、互いに正反対に位置して、圧延されたストリップを交互に巻き取る回転ドラム上にヒンジされる。一方のリールが最後のコイルを巻き取るときに、他方のリールは最後のコイルを先に巻き終わって開放される。
【００８５】
上記の両方の実施形態において、少なくとも２つの第１の圧延スタンド１９の上流に配置されて、奇数の圧延ステップで開いていて、偶数の圧延ステップで閉じているように構成されるさらなる圧延スタンド２５を提供することができる。これにより、２つの圧延ステップは、全体で５つの厚み減少によって実行される。都合のよいことに、さらなる圧延スタンド２５は、２つの第１の圧延スタンド１９のワーキングロールの加工面粗さよりも大きい加工面粗さを有するワーキングロールを備える。この異型によって、制御された粗さを有する圧延表面が最後の圧延ステップで得られることができる。好ましくは、圧延スタンド２５は、より良好な表面クリーニングを得るために、専用システムによって第２のそして最後の圧延ステップにおいて冷却される。
【図１】
0006377265.tif 000002
【図２（ａ）】
0006377265.tif 000003
【図２（ｂ）】
0006377265.tif 000004
【図２（ｃ）】
0006377265.tif 000005
【図３（ａ）】
0006377265.tif 000006
【図３（ｂ）】
0006377265.tif 000007
【図４】
0006377265.tif 000008
【図５】
0006377265.tif 000009
【図６ａ】
0006377265.tif 000010
【図６ｂ】
0006377265.tif 000011
【図６ｃ】
0006377265.tif 000012
【図６ｄ】
0006377265.tif 000013
【図７】
0006377265.tif 000014
【図８】
0006377265.tif 000015
【図９（ａ）】
0006377265.tif 000016
【図９（ｂ）】
0006377265.tif 000017
【図９（ｃ）】
0006377265.tif 000018